(57)【要約】【課題】パネル上の配線不良を確実に検出でき、しかも、製造歩留まりの低下を抑制することが可能な表示装置を提供することを目的とする。【解決手段】  第１有効表示部６Ａを備えたメインパネル１と、第２有効表示部を備えたサブパネル２を接続可能な接続パッド部ＰＰ１と、第１有効表示部６Ａの外側に位置する外周部１０に配置され接続パッド部ＰＰ１を介して第２有効表示部６Ｂの表示画素をオン・オフさせるための駆動信号が供給される複数の配線ＳＷからなる配線群３０と、配線群３０の第１配線３１に接続された第１検査用配線５１と、配線群３０の第１配線３１に隣接する第２配線３２に接続された第２検査用配線５２と、を備えたことを特徴とする。【選択図】      図１
2006047849.tif 000002
【特許請求の範囲】
【請求項１】
複数の表示画素によって構成された第１有効表示部を備えた表示装置であって、
複数の表示画素によって構成された第２有効表示部を接続可能な接続パッドと、
前記第１有効表示部の外側に位置する外周部に配置され、前記接続パッドを介して前記第２有効表示部の前記表示画素をオン・オフさせるための駆動信号が供給される複数の配線からなる配線群と、
前記配線群の第１配線に接続された第１検査用配線と、
前記配線群の前記第１配線に隣接する第２配線に接続された第２検査用配線と、
を備えたことを特徴とする表示装置。
【請求項２】
複数の表示画素によって構成された第１有効表示部を備えた表示装置であって、
複数の表示画素によって構成された第２有効表示部を接続可能な接続パッドと、
前記第１有効表示部の外側に位置する外周部の一端側に配置され、前記第１有効表示部の前記表示画素をオン・オフさせるための駆動信号が供給される複数の配線からなる第１配線群と、
前記外周部の他端側に配置され、前記接続パッドを介して前記第２有効表示部の前記表示画素をオン・オフさせるための駆動信号が供給される複数の配線からなる第２配線群と、
前記第２配線群の第１配線に接続された第１検査用配線と、
前記第２配線群の前記第１配線に隣接する第２配線に接続された第２検査用配線と、
を備えたことを特徴とする表示装置。
【請求項３】
前記第１及び第２検査用配線は、それぞれの一端部に駆動信号の入力を可能とする入力パッドを有することを特徴とする請求項１または２に記載の表示装置。
【請求項４】
さらに、前記接続パッドを介して前記第２有効表示部と電気的に接続するフレキシブル配線基板を備えたことを特徴とする請求項１または２に記載の表示装置。
【請求項５】
前記第２配線群を構成する各配線は、前記接続パッドを経由して前記第２有効表示部の走査線と接続されることを特徴とする請求項２に記載の表示装置。
【請求項６】
前記第１有効表示部の信号線は、前記接続パッドを経由して前記第２有効表示部の信号線と接続されることを特徴とする請求項２に記載の表示装置。
【請求項７】
複数の表示画素によって構成された第１有効表示部を備え、
複数の表示画素によって構成された第２有効表示部を接続可能な接続パッドと、
前記第１有効表示部の外側に位置する外周部に配置され、前記接続パッドを介して前記第２有効表示部の前記表示画素をオン・オフさせるための駆動信号が供給される複数の配線からなる配線群と、を備えた表示装置の検査方法であって、
前記配線群の第１配線に接続された第１検査用配線に検査信号を入力する工程と、
前記第１配線に隣接する第２配線に接続された第２検査用配線からの出力信号を検出する工程と、
前記第２検査用配線からの出力信号に基づき、前記配線群における配線不良の有無を検査する工程と、
を備えたことを特徴とする表示装置の検査方法。
【請求項８】
複数の表示画素によって構成された第１有効表示部を備え、
複数の表示画素によって構成された第２有効表示部を接続可能な接続パッドと、
前記第１有効表示部の外側に位置する外周部に配置され、前記接続パッドを介して前記第２有効表示部の前記表示画素をオン・オフさせるための駆動信号が供給される複数の配線からなる配線群と、を備えた表示装置の検査装置であって、
前記配線群の第１配線に接続された第１検査用配線に入力する検査信号を生成する信号生成手段と、
前記第１配線に隣接する第２配線に接続された第２検査用配線からの出力信号を検出する検出手段と、
を備えたことを特徴とする表示装置の検査装置。
【発明の詳細な説明】
【技術分野】
【０００１】
この発明は、配線不良を検査するための検査用配線を備えた表示装置、この表示装置の検査用配線に入力した検査信号に基づき配線不良を検査する検査方法、及び、表示装置の検査用配線に入力する検査信号を生成する検査装置に関する。
【背景技術】
【０００２】
液晶表示装置などの表示装置は、マトリクス状の表示画素によって構成された有効表示部を備えている。この有効表示部は、表示画素の行方向に沿って延在する複数の走査線、表示画素の列方向に沿って延在する複数の信号線、これら走査線と信号線との交差部付近に配置されたスイッチング素子、スイッチング素子に接続された画素電極などを備えている。
【０００３】
走査線駆動回路と各走査線との間を接続する配線群は、通常、有効表示部の一端側に配置されている。このため、奇数番走査線と偶数番走査線とにそれぞれ検査信号を入力することにより、配線群でのショートや断線、さらには有効表示部でのショートや断線などのパネル上での配線不良を検査することが可能である。
【０００４】
近年、メインパネルとは別体のサブパネルを備えた２つの有効表示部を有する表示装置が提案されている（例えば、特許文献１参照。）。このような構成の表示装置では、メインパネルとサブパネルとは、フレキシブル配線基板を介して電気的に接続されており、メインパネル側に配置された走査線駆動部及び信号線駆動部により共通に駆動される。
【０００５】
このような構成の場合、メインパネルにおいて、走査線駆動部からフレキシブル配線基板を接続可能な接続パッドまでの配線間でのショートを検出することが困難である。このため、配線不良を検出できなかったメインパネルが後工程に流出するおそれがある。この後工程では、メインパネルに駆動ＩＣチップやフレキシブル配線基板、さらにはサブパネルなどの高価な部品が実装されるため、不良パネルの流出は、製造歩留まりの低下を招く。
【特許文献１】特開２００３−３２３１６４号公報
【発明の開示】
【発明が解決しようとする課題】
【０００６】
この発明は、上述した問題点に鑑みなされたものであって、その目的は、パネル上の配線不良を確実に検出でき、しかも、製造歩留まりの低下を抑制することが可能な表示装置、表示装置の検査方法、及び、表示装置の検査装置を提供することにある。
【課題を解決するための手段】
【０００７】
この発明の第１の様態による表示装置は、
複数の表示画素によって構成された第１有効表示部を備えた表示装置であって、
複数の表示画素によって構成された第２有効表示部を接続可能な接続パッドと、
前記第１有効表示部の外側に位置する外周部に配置され、前記接続パッドを介して前記第２有効表示部の前記表示画素をオン・オフさせるための駆動信号が供給される複数の配線からなる配線群と、
前記配線群の第１配線に接続された第１検査用配線と、
前記配線群の前記第１配線に隣接する第２配線に接続された第２検査用配線と、
を備えたことを特徴とする。
【０００８】
この発明の第２の様態による表示装置は、
複数の表示画素によって構成された第１有効表示部を備えた表示装置であって、
複数の表示画素によって構成された第２有効表示部を接続可能な接続パッドと、
前記第１有効表示部の外側に位置する外周部の一端側に配置され、前記第１有効表示部の前記表示画素をオン・オフさせるための駆動信号が供給される複数の配線からなる第１配線群と、
前記外周部の他端側に配置され、前記接続パッドを介して前記第２有効表示部の前記表示画素をオン・オフさせるための駆動信号が供給される複数の配線からなる第２配線群と、
前記第２配線群の第１配線に接続された第１検査用配線と、
前記第２配線群の前記第１配線に隣接する第２配線に接続された第２検査用配線と、
を備えたことを特徴とする。
【０００９】
この発明の第３の様態による表示装置の検査方法は、
複数の表示画素によって構成された第１有効表示部を備え、
複数の表示画素によって構成された第２有効表示部を接続可能な接続パッドと、
前記第１有効表示部の外側に位置する外周部に配置され、前記接続パッドを介して前記第２有効表示部の前記表示画素をオン・オフさせるための駆動信号が供給される複数の配線からなる配線群と、を備えた表示装置の検査方法であって、
前記配線群の第１配線に接続された第１検査用配線に検査信号を入力する工程と、
前記第１配線に隣接する第２配線に接続された第２検査用配線からの出力信号を検出する工程と、
前記第２検査用配線からの出力信号に基づき、前記配線群における配線不良の有無を検査する工程と、
を備えたことを特徴とする。
【００１０】
この発明の第４の様態による表示装置の検査装置は、
複数の表示画素によって構成された第１有効表示部を備え、
複数の表示画素によって構成された第２有効表示部を接続可能な接続パッドと、
前記第１有効表示部の外側に位置する外周部に配置され、前記接続パッドを介して前記第２有効表示部の前記表示画素をオン・オフさせるための駆動信号が供給される複数の配線からなる配線群と、を備えた表示装置の検査装置であって、
前記配線群の第１配線に接続された第１検査用配線に入力する検査信号を生成する信号生成手段と、
前記第１配線に隣接する第２配線に接続された第２検査用配線からの出力信号を検出する検出手段と、
を備えたことを特徴とする。
【発明の効果】
【００１１】
この発明によれば、パネル上の配線不良を確実に検出でき、しかも、製造歩留まりの低下を抑制することが可能な表示装置、表示装置の検査方法、及び、表示装置の検査装置を提供することができる。
【発明を実施するための最良の形態】
【００１２】
以下、この発明の一実施の形態に係る表示装置、表示装置の検査方法、及び、表示装置の検査装置について図面を参照して説明する。
【００１３】
図１に示すように、表示装置の一例としての液晶表示装置は、略矩形平板状の液晶表示パネルすなわちメインパネル１を備えている。このメインパネル１は、一対の基板すなわちアレイ基板３及び対向基板４と、これら一対の基板の間に光変調層として保持された液晶層５と、によって構成されている。このメインパネル１は、画像を表示する矩形状の第１有効表示部６Ａを備えている。この第１有効表示部６Ａは、マトリクス状に配置された複数の表示画素ＰＸによって構成されている。
【００１４】
アレイ基板３は、第１有効表示部６Ａにおいて、表示画素ＰＸの行方向に沿って延在する複数の走査線ＭＹ（１、２、３、…、ｍ）、表示画素ＰＸの列方向に沿って延在する複数の信号線Ｘ（１、２、３、…、ｎ）、これら走査線ＭＹと信号線Ｘとの交差部付近において表示画素ＰＸ毎に配置されたスイッチング素子７、スイッチング素子７に接続された画素電極８などを備えている。
【００１５】
スイッチング素子７は、薄膜トランジスタ（ＴＦＴ）などで構成されている。このスイッチング素子７のゲート電極７Ｇは、対応する走査線ＭＹに電気的に接続されている（あるいは走査線と一体に形成されている）。スイッチング素子７のドレイン電極７Ｄは、対応する信号線Ｘに電気的に接続されている（あるいは信号線と一体に形成されている）。スイッチング素子７のソース電極７Ｓは、対応する表示画素ＰＸの画素電極８に電気的に接続されている。
【００１６】
対向基板４は、第１有効表示部６Ａにおいて、全表示画素ＰＸに共通の対向電極９などを備えている。これらアレイ基板３及び対向基板４は、画素電極８と対向電極９とを対向させた状態で配設され、これらの間にギャップを形成する。液晶層５は、アレイ基板３と対向基板４とのギャップに封止された液晶組成物によって形成されている。
【００１７】
メインパネル１は、第１有効表示部６Ａの外側に位置する外周部１０に配置された駆動ＩＣチップ１１を備えている。図１に示した例では、駆動ＩＣチップ１１は、対向基板４の一端部４Ａより外方に延在したアレイ基板３の第１延在部１０Ａ上に配置されている。また、メインパネル１は、サブパネル２を接続可能な接続パッド部ＰＰ１を備えている。図１に示した例では、接続パッド部ＰＰ１は、対向基板４の他端部４Ｂより外方に延在したアレイ基板３の第２延在部１０Ｄ上に配置されている。このサブパネル２は、基本的にメインパネル１と同一構造であるので、同一の構成要素には同一の参照符号を付して詳細な説明を省略する。
【００１８】
すなわち、図２に示すように、サブパネル２は、一対の基板すなわちアレイ基板３００及び対向基板４００と、これら一対の基板の間に光変調層として保持された液晶層５００と、によって構成されている。このサブパネル２は、画像を表示する矩形状の第２有効表示部６Ｂを備えている。この第２有効表示部６Ｂは、マトリクス状に配置された複数の表示画素ＰＸによって構成されている。
【００１９】
アレイ基板３００は、第２有効表示部６Ｂにおいて、表示画素ＰＸの行方向に沿って延在する複数の走査線ＳＹ（１、２、３、…、ｍ）、表示画素ＰＸの列方向に沿って延在する複数の信号線Ｘ（１、２、３、…、ｎ）、これら走査線ＳＹと信号線Ｘとの交差部付近において表示画素ＰＸ毎に配置されたスイッチング素子７、スイッチング素子７に接続された画素電極８などを備えている。スイッチング素子７のゲート電極７Ｇは、対応する走査線ＳＹに電気的に接続されている（あるいは走査線と一体に形成されている）。対向基板４００は、第２有効表示部６Ｂにおいて、全表示画素ＰＸに共通の対向電極９などを備えている。
【００２０】
また、サブパネル２は、メインパネル１を接続可能な接続パッド部ＰＰ２を備えている。図２に示した例では、接続パッド部ＰＰ２は、対向基板４００の一端部４００Ａより外方に延在したアレイ基板３００の延在部３００Ａ上に配置されている。これらメインパネル１とサブパネル２とは、フレキシブル配線基板ＦＰＣを介して電気的に接続されている。すなわち、フレキシブル配線基板ＦＰＣは、メインパネル１の接続パッド部ＰＰ１及びサブパネル２の接続パッド部ＰＰ２にそれぞれ接続されている。
【００２１】
メインパネル１に実装された駆動ＩＣチップ１１は、信号線駆動部１１Ｘ、及び、走査線駆動部１１Ｙを有している。信号線駆動部１１Ｘは、メインパネル１及びサブパネル２の各信号線Ｘに駆動信号（映像信号）を供給する。走査線駆動部１１は、メインパネル１の各走査線ＭＹに対して駆動信号（走査信号）を供給する第１駆動部１１Ｙ１、及び、サブパネル２の各走査線ＳＹに対して駆動信号を供給する第２駆動部１１Ｙ２を含んでいる。これら第１駆動部１１Ｙ１及び第２駆動部１１Ｙ２は、信号線駆動部１１Ｘを挟んだ両側にそれぞれ配置されている。
【００２２】
すなわち、上述したような構成においては、メインパネル１の第１有効表示部６Ａに配置された信号線Ｘ（１、２、３、…、ｎ）は、接続パッド部ＰＰ１に接続されており、また、サブパネル２の第２有効表示部６Ｂに配置された信号線Ｘ（１、２、３、…、ｎ）は、接続パッド部ＰＰ２に接続されている。これら第１有効表示部６Ａの信号線Ｘ（１、２、３、…、ｎ）は、フレキシブル配線基板ＦＰＣを介して、第２有効表示部６Ｂに配置された信号線Ｘ（１、２、３、…、ｎ）とそれぞれ電気的に接続されている。このような構成において、信号線駆動部１１Ｘは、メインパネル１及びサブパネル２の各信号線Ｘに駆動信号（映像信号）を供給する。
【００２３】
第１駆動部１１Ｙ１は、外周部１０の一端側１０Ｂに配置された第１配線群２０を介して第１有効表示部６Ａの各走査線ＭＹと電気的に接続されている。この第１配線群２０は、各走査線ＭＹのそれぞれに接続された配線ＭＷ（１、２、３、４、…）によって構成されている。つまり、第１駆動部１１Ｙ１から出力された駆動信号は、各配線ＭＷ（１、２、３、４、…）を介して対応する走査線ＭＹ（１、２、３、４、…）に供給され、第１有効表示部６Ａの表示画素ＰＸをオン・オフさせる。すなわち、第１有効表示部６Ａの各表示画素ＰＸに含まれるスイッチング素子７は、対応する走査線ＭＹから供給された駆動信号に基づいてオン・オフ制御される。
【００２４】
第２駆動部１１Ｙ２は、外周部１０の他端側１０Ｃに配置された第２配線群３０を介して第２有効表示部６Ｂの各走査線ＳＹと電気的に接続されている。すなわち、この第２配線群３０は、各走査線ＳＹのそれぞれに接続された配線ＳＷ（１、２、３、４、…）によって構成されている。これらの配線ＳＷ（１、２、３、４、…）は、接続パッド部ＰＰ１に接続されている。一方で、サブパネル２の第２有効表示部６Ｂに配置された走査線ＳＹ（１、２、３、４、…）は、接続パッド部ＰＰ２に接続されている。これら配線ＳＷ（１、２、３、４、…）は、フレキシブル配線基板ＦＰＣを介して、第２有効表示部６Ｂの走査線ＳＹ（１、２、３、４、…）とそれぞれ電気的に接続されている。
【００２５】
このような構成において、第２駆動部１１Ｙ２から出力された駆動信号は、各配線ＳＷ（１、２、３、４、…）を介して対応する走査線ＳＹ（１、２、３、４、…）に供給され、第２有効表示部６Ｂの表示画素ＰＸをオン・オフさせる。すなわち、第２有効表示部６Ｂの各表示画素ＰＸに含まれるスイッチング素子７は、対応する走査線ＳＹから供給された駆動信号に基づいてオン・オフ制御される。
【００２６】
カラー表示タイプの液晶表示装置では、メインパネル１及びサブパネル２は、複数種類の表示画素、例えば赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらカラーフィルタは、アレイ基板または対向基板の主面に配置される。
【００２７】
アレイ基板３は、図３に示すように、外周部１０における第２配線群３０の各配線間の配線不良を検査するための検査用配線部４０を備えている。この検査用配線部４０は、第２駆動部１１Ｙ２に対応して設けられた第２走査線検査部４２、及び、第２検査部４２に各種信号を入力するためのパッド部４４を有している。
【００２８】
第２走査線検査部４２は、第２配線群３０の第１配線３１、例えば配線ＳＷ１、ＳＷ３、ＳＷ５…に接続された第１検査用配線５１と、第１配線３１に隣接する第２配線３２、例えばＷ２、Ｗ４、Ｗ６…に接続された第２検査用配線５２と、を備えている。また、第２走査線検査部４２は、各第１配線３１と第１検査用配線５１との間に第１スイッチ素子６１を備えるとともに、各第２配線３２と第２検査用配線５２との間に第２スイッチ素子６２を備えている。これらの第１スイッチ素子６１及び第２スイッチ素子６２は、薄膜トランジスタによって構成されている。
【００２９】
すなわち、第１スイッチ素子６１のゲート電極６１Ｇは、共通のスイッチ信号線５３に電気的に接続されている。また、第１スイッチ素子６１のドレイン電極６１Ｄは、対応する第１配線３１に電気的に接続されている。さらに、第１スイッチ素子６１のソース電極６１Ｓは、対応する第１検査用配線５１に電気的に接続されている。
【００３０】
また、第２スイッチ素子６２のゲート電極６２Ｇは、共通のスイッチ信号線５３に電気的に接続されている。また、第２スイッチ素子６２のドレイン電極６２Ｄは、対応する第２配線３２に電気的に接続されている。さらに、第２スイッチ素子６２のソース電極６２Ｓは、対応する第２検査用配線５２に電気的に接続されている。
【００３１】
パッド部４４は、第１検査用配線５１の一端部に駆動信号の入力を可能とする入力パッド７１、第２検査用配線５２の一端部に駆動信号の入力を可能とする入力パッド７２、及び、スイッチ信号線５３の一端部に駆動信号の入力を可能とする入力パッド７３を備えている。
【００３２】
入力パッド７１及び７２から入力される駆動信号は、検査段階において第２配線群３０の第１配線３１及び第２配線３２の配線間ショートを検査するための検査信号である。入力パッド７３から入力される駆動信号は、検査段階において第１スイッチ素子６１及び第２スイッチ素子６２のオン・オフを制御するためのスイッチ信号である。  
また、第２配線群３０の第１配線３１及び第２配線３２は、それぞれの中途部に駆動ＩＣチップ１１との接続を可能とする接続パッドＰＤを備えている。
【００３３】
上述したような構成の液晶表示装置によれば、第１有効表示部の一端側から第１有効表示部の走査線に駆動信号を供給可能であるとともに第１有効表示部の他端側から第２有効表示部の走査線に駆動信号を供給可能なレイアウトにおいて、第２有効表示部の走査線に駆動信号を供給するための第２配線群を構成する第１配線及びこれに隣接する第２配線に対して異なるタイミングで異なる検査信号を入力することが可能となる。このため、第２配線群における配線間でのショートや各配線の断線といったパネル上での配線不良を確実に検出することが可能となる。
【００３４】
（検査装置）  
次に、上述したような構成の液晶表示装置において、液晶表示パネル上での配線不良を検出するための検査装置１００について説明する。すなわち、検査装置１００は、図４に示すように、パッド部４４の各入力パッドに接続可能な複数のプローブ１０１と、プローブ１０１を介して第１検査用配線５１または第２検査用配線５２に入力する検査信号やスイッチ信号線５３に入力するスイッチ信号を含む各種信号を生成する信号生成部１０２と、プローブ１０１を介して第１検査用配線５１または第２検査用配線５２から出力された出力信号を検出する信号検出部１０３と、信号生成部１０２及び信号検出部１０３と第１検査用配線５１及び第２検査用配線５２との接続を選択的に切り換える切換部１０４と、を備えている。
【００３５】
（検査方法）  
すなわち、この検査方法では、まず、検査装置１００のプローブ１０１を、メインパネル１のパッド部４４における対応する入力パッドに接続する。そして、切換部１０４は、信号生成部１０２と第１検査用配線５１とを接続するとともに、信号検出部１０３と第２検査用配線５２とを接続する。
【００３６】
続いて、所定のタイミングにおいて、信号生成部１０２は、イッチ信号をスイッチ信号線５３に入力する。このようなスイッチ信号の入力により、第２走査線検査部４２の第１スイッチ素子６１及び第２スイッチ素子６２は、適時オン状態となる。
【００３７】
続いて、信号生成部１０２は、第１スイッチ素子６１がオンしたのに基づいて、第２配線群３０の第１配線３１に接続された第１検査用配線５１に検査信号を入力する。一方で、信号検出部１０３は、第２スイッチ素子６２がオンしたのに基づいて、第２配線群３０の第２配線３２に接続された第２検査用配線５２からの出力信号を検出する。
【００３８】
続いて、この検査信号の入力及び出力信号の検出に基づき、第２配線群３０における第１配線３１と第２配線３２との間のショートを検査する。すなわち、第２配線群３０の第１配線３１から信号入力可能なタイミングにおいて、第１検査用配線５１から検査信号を入力する。このとき、第２配線群３０において隣接する第１配線３１と第２配線３２との間でショートが発生していた場合、例えば配線ＳＷ１と配線ＳＷ２との間でショートが発生していた場合、配線ＳＷ１のみならず、配線ＳＷ２にも検査信号が供給される。このため、第１検査用配線５１から入力した検査信号が第２検査用配線５２を介して出力される。したがって、信号検出部１０３が第２検査用配線５２から検査信号を検出した場合に、第１配線３１と第２配線３２との間のショートが検出される。
【００３９】
同様に、切換部１０４が信号生成部１０２と第２検査用配線５２とを接続するとともに、信号検出部１０３と第１検査用配線５１とを接続した場合においても、第２検査用配線５２から検査信号を入力し、第１検査用配線５１からの出力信号を検出することにより、第２配線群３０における第１配線３１と第２配線３２との間のショートが検査可能となる。
【００４０】
上述したように、検査方法によれば、有効表示部の両端側からメインパネル及びサブパネルにそれぞれ駆動信号を供給可能なレイアウトの液晶表示装置に対して、検査装置は、サブパネルの走査線に接続される配線群を構成する互いに隣接する第１配線及び第２配線の一方に対して異なるタイミングで検査信号を入力し、他方からの出力信号を検出する。このような検査信号の入力及び出力信号の検出に基づき、配線群での配線不良を確実に検出することが可能となる。このように、メインパネルとサブパネルを接続する以前の段階でサブパネルに駆動信号を供給する配線群の配線不良を検出することが可能であるため、配線不良のメインパネルの後工程への流出を未然に防ぐことが可能となり、製造歩留まりの低下を抑制することが可能となる。
【００４１】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【００４２】
この発明の表示装置は、上述した液晶表示装置に限定されるものではなく、有効表示部の両端側から奇数番走査線及び偶数番走査線にそれぞれ駆動信号を供給可能なレイアウトの表示装置であれば適用可能であり、自己発光素子を表示素子とする有機エレクトロルミネッセンス表示装置などであっても良い。
【図面の簡単な説明】
【００４３】
【図１】図１は、この発明の一実施の形態に係る液晶表示装置のメインパネルの構成を概略的に示す図である。
【図２】図２は、図１に示したメインパネルに接続可能なサブパネルの構成を概略的に示す図である。
【図３】図３は、図１に示したメインパネルの検査用配線部の構成を概略的に示す図である。
【図４】図４は、図１に示したメインパネルに適用可能な検査装置の構成を概略的に示す図である。
【符号の説明】
【００４４】
１…メインパネル、２…サブパネル、１１…駆動ＩＣチップ、２０…第１配線群、３０…第２配線群、３１…第１配線、３２…第２配線、４０…検査用配線部、５１…第１検査用配線、５２…第２検査用配線、１００…検査装置、ＰＸ…表示画素、Ｘ…信号線、ＭＹ…走査線（メインパネル）、ＳＹ…走査線（サブパネル）、ＳＷ…配線、ＦＰＣ…フレキシブル配線基板
【図１】
2006047849.tif 000003
【図２】
2006047849.tif 000004
【図３】
2006047849.tif 000005
【図４】
2006047849.tif 000006